(57)【要約】【課題】発進立坑と人孔間を先導掘進機で掘削排土し推進管を継ぎ足して管路を埋設し、完工後に先導掘削機を分解して人孔から回収可能とする推進方法で、当該回収工事の簡易迅速低廉化と、分解部材の再組立による再使用を可能とする。【解決手段】先導掘進機１０の人孔３への貫設後、カッタースポーク軸心側端部１１ｂから離脱のカッタースポーク外周側端部１１ａと分割式スキンプレート１３と駆動部１１ｅから離脱した分割式フード兼隔壁１２の分割部品を人孔３から回収する。次に稼動用付帯部材１４と、カッタースポーク軸心側端部１１ｂと駆動部１１ｅと排泥管１５を具備した大きな先導掘削機軸心部１６は、その運搬用走行転動体１７を駆使して発進立坑へ移送後に回収する。そして残置の分割式スキンプレート１３と分割式接続リング１３Ａと方向修正ジャッキ１３Ｂの分割部材は人孔から地上へ回収する。【選択図】　　　　図１
2004011190.tif 000002
【特許請求の範囲】
【請求項１】
発進立坑内の先導掘進機を、当該発進立坑内の元押し装置により押圧することで、上記先導掘進機の稼動により地山掘削による土砂を地上に排出すると共に、順次先導掘進機に推進管を継ぎ足して行くことで、当該先導掘進機を人孔の側壁内へ貫通させることにより、これらの推進管による管路を形成した後、この先導掘進機を地上に引き上げるようにした推進工法における先導掘進機の回収方法において、まず人孔にあって先導掘進機における切削回転体の最先側に取着したカッタースポーク外周端部を、カッタースポーク軸心側端部から取り外すと共に、その背後に配設の分割式フード兼隔壁を、上記カッタースポーク軸心側端部に連設の駆動部と分割式スキンプレートとから取り外し、これらのカッタースポーク外周端部と分割式フード兼隔壁と分割部品とを当該人孔より地上に回収し、予め背泥タンクと油圧ユニットと制御盤そしてエアタンク等である稼動用付帯部材は、同上管路内を介して発進立坑側から地上へ回収する工程と併行または事後にあって、前記したカッタースポーク軸心側端部とこれに連設された前記駆動部および前掲地山の掘削土砂を地上へ排出するための排泥管が具備された先導掘進機軸心部を、これに既設の運搬用走行転動体によって前記の分割式スキンプレート内から、推進管内を走路として前記の発進立坑より地上へ回収し、当該先導掘進機軸心部を先導掘進機からの抜出後にあって、前記した分割式スキンプレートと分割式接続リングと方向修正ジャッキとを、取外し作業により分解することで人孔または発進立坑から地上に回収するようにしたことを特徴とする推進工法における先導掘進機の回収方法。
【請求項２】
発進立坑内の先導掘進機を、当該発進立坑内の元押し装置により押圧することで、上記先導掘進機の稼動により地山を掘削した土砂を地上に排出すると共に、順次先導掘進機に推進管を継ぎ足して行くことで、当該先導掘削機を人孔の近傍に築造した小形到達立坑へ貫通させることにより、これらの推進管による管路を形成した後、この先導掘進機を地上に引き上げるようにした推進工法における先導掘進機の回収方法であって、まず小形到達立坑にて先導掘進機における切削回転体の最先側に取着したカッタースポーク外周端部を、カッタースポーク軸心側端部から取り外すと共に、その背後に配設の分割式フード兼隔壁を、上記カッタースポーク軸心側端部に連設の駆動部と分割式スキンプレートとから取り外し、これらのカッタースポーク外周端部と分割式フード兼隔壁と当該小形到達立坑より地上に回収し、予め背泥タンクと油圧ユニットと制御盤そしてエアタンク等である稼動用付帯部材は、同上管路内を介して発進立坑側から地上へ回収する工程と併行または事後にあって、前記したカッタースポーク軸心側端部とこれに連設された前記駆動部および前掲地山の掘削土砂を地上へ排出するための排泥管が具備された先導掘進機軸心部を、これに既設の運搬用走行転動体によって前記の分割式スキンプレート内から、推進管内を走路として前記の発進立坑より地上へ回収し、当該先導掘進機軸心部を先導掘進機からの抜出後にあって、前記した分割式スキンプレートと分割式接続リングと方向修正ジャッキとを、取外し作業により前記小形到達立坑または発進立坑から地上に回収するようにし、さらに当該小形到達立坑と前掲人孔とを刃口推進工事によって連繋するようにしたことを特徴とする推進工法における先導掘進機の回収方法。
【請求項３】
切削回転体が、最先側に取着されたカッタースポーク外周端部をカッタースポーク軸心側端部から取り外し自在なるよう取着されてなり、その背後に配設の分割式フード兼隔壁が、上記したカッタースポーク軸心側端部と連設の駆動部と分割式スキンプレートに対して取り外し自在なるよう取着され、上記したカッタースポーク軸心側端部とこれに連設された前記駆動部および前掲地山の掘削土砂を地上へ排出するための排泥管が具備された先導掘進機軸心部には、分割式スキンプレート内を軸線方向へ走行自在なるよう運搬用走行転動体が装設されていることを特徴とする請求項１または請求項２に記載された推進工法における先導掘進機の回収方法に用いる先導掘進機。
【発明の詳細な説明】
【０００１】
【発明の属する技術分野】
本発明は既知の如く発進立坑から、先導掘進機により地中を掘進することによって、所定の人孔等までの間にヒューム管等の連継による管路を形成するようにした推進工法の実施に際し、当該管路の完成後にあって使用した先導掘削機を、どのようにして地上へ回収するかの方法と、当該回収方法の実施に用いて好適な先導掘進機を提供しようとするものである。
【０００２】
【従来の技術】
旧来の推進工法にあっては、図２を参照して理解される通り図示されていない発進立坑内の先導掘進機１を、当該発進立坑内の元押装置により押圧することで、当該先導掘進機１の稼動により地山Ｅの掘削による土砂を地上に排出すると共に、順次先導掘進機１に推進管２を継ぎ足して行くことで、当該先導掘進機１を既設である人孔３の近傍にあって、予め築造しておいた大形到達立坑４における側壁４ａへ貫通させ、かくしてこれら多数の推進管２による管路５を形成するようにしている。
次に上記の工事を完了し終わった先導掘進機１は、当該大形到達立坑４内にて、管路５の先頭端における推進管２から切り離すことで、大形到達立坑４より地上Ｅ１へ回収すると共に、さらに当該大形到達立坑４と既設の人孔３との間は、刃口推進工事６に切り換えることで連設し、かくして管路５を人孔３における人孔側壁３ａに連設するようにしている（図２と図３はヒューム管推進工法協会発行の資料より転載）。
【０００３】
従って上記旧来の推進工法によるときは、先導掘進機１自体を発進立坑に導入し、かつこれを大形到達立坑４から地上Ｅ１へ回収しなければならないことから、築造される大形到達立坑４としては、可成り大規模なものを築造しなければならず、このためどうしても当該工事に可成りの日数と多大な工事費を要することになり、しかも別途刃口推進工事をも実施しなければならないなどの欠陥が指摘されて来た。
【０００４】
そこで上記の難点を解消するため図３に例示する如き改善策の実施も提唱されており、これによるときは、上記旧来の回収方法の如く既設された人坑３の側傍に大形到達立坑４を築造することなしに、人孔３の側壁３ａに対して直接先導掘進機１を推進到達させるようにして、大形到達立坑４の築造を省略するようにしている。従って当然のことながら人孔３より先導掘進機１を、そのまま地上まで引き上げることはできないことから、当該先導掘進機１の先行部側から順次切削回転体７を切断線７ａ、７ｂ等にあって分断したり、解体可能な部品は、ボルト、ナット等の弛回作業等により各種の分割部材７ｃ、７ｄ、７ｅ、７ｆ等に分解して、人孔３から地上Ｅ１へ撤去するようにしている。
このため上記の改善策によるときは、大形到達立坑４の築造に要する費用と作業日数とを大幅に削減可能となし得るものの、先導掘進機１はその要所が分断されてしまうことから、一部の部材を再活用し得るだけで、その実質的なリサイクルによる実益を上げ得ない欠陥が指摘されている。
【０００５】
【発明が解決しようとする課題】
そこで本発明では上記の旧来例および改善策の難点に鑑み検討されたもので、その請求項１にあっては前説の大形到達立坑４を全く築造することなく発進立坑と人孔との間に管路を形成し、その後にあって人孔に達した先導掘進機につき、これを分断してしまうことなしに、その切削回転体から取り外したカッタースポーク外周側端部と、カッタースポーク軸心側端部に連設の駆動部と分割式スキンプレートとから取り外した分割式フード兼隔壁とについては、適宜分解して、これにより得られた分割部品については、当該人孔から地上へ回収してしまうのである。
かくして一体にて残置されたカッタースポーク軸心側端部と、これに連設の駆動部および排泥管とから成る先導掘進機軸心部は、人孔とは反対側へ一体として引き抜き得る状態とし、かつ予め運搬用走行転動体を設けてあることにより、各種部品の集合体としての可成り大きな当該先導掘進機軸心部を容易に発進立坑へ向け移送させ得ることになり、これを当該発進立坑から地上へ回収するのである。
もちろんこの際管路に配設されている排出タンク、制御盤、エアタンク等の稼動用付帯部材は、予め管路を介して発進立坑そして地上へと回収しておくこととなる。
このような状態となった後、さらに残存する分割式スキンプレート、方向修正ジャッキ、分割式接続リングは取外しによる分割作業によって、人孔または要すれば発進立坑から地上へ回収することになる。
【０００６】
上記の通り請求項１によるときは、人孔に進入したカッタースポーク外周端部と分割式フード兼隔壁は、これを取り外して人孔より回収可能とし、このようにすることで残された大容量部としての先導掘進機軸心部を、その既設運搬用走行転動体の駆使により、一挙に発進立坑側から回収してしまうと共に、その後にあって、さらに残置の分割式スキンプレートとか方向修正ジャッキそして分割式接続リングについては、本来人孔から、要すれば発進立坑から回収することで、回収用である大形到達立坑の築造と刃口推進工事を不要とし、その工事費と工期とを大幅に削減短縮可能とするのが、第１の目的である。しかも先導掘進機の分断作業を行うことなく、比較的簡易になし得る分解組立作業を行うことで、当該先導掘進機をそのまま何回でも稼動させることができ、さらに当該分解作業も、一度に大容量部である先導掘進機軸心部を運搬用走行転動体を用いて搬出してしまうことにより、当該分割組立作業の工程数も削減して、極めて効率的な回収方法を提供しようとするのが第２の目的である。
【０００７】
次に請求項２によるときは、請求項１とその要旨において共通性を具有しているが、相違するところは前記旧来法の如き大形到達立坑を用意するのではなく、小形到達立坑を築造するようにし、これと発進立坑との間に管路を形成するのである。従って刃口推進工事を要することになるが、その他の内容については上記した請求項１と実質的に同じであることから、前記した請求項１と同効を発揮し得ると共に、小形到達立坑を人孔よりは大形に築造することで分割等の作業性を人孔の場合よりも向上させ、かつそれほどの工事費を要せず工期についても旧来法に比し、これを大幅に改善しようとするのが、その目的である。
【０００８】
請求項３は上記の請求項１および請求項２に係る推進工法における先導掘進機の回収方法を実施するのに用いて好適な先導掘進機に関し、切削回転体はカッタースポーク軸心側端部からカッタースポーク外周側端部が着脱自在に固定され、その背後に設けた分割式フード兼隔壁はカッタースポーク軸心側端部に連設の駆動部と分割式スキンプレートに対し、これまた取り外し自在に取着されている。さらに当該先導掘削機にあっては、カッタースポーク軸心側端部と駆動部および排泥管とを具備している先導掘進軸心部に、分割式スキンプレート内を軸心方向へ走行自在とした運搬用走行転動体が装設されることで、前記した請求項１、２に係る先導掘進機の回収目的を極めて効率的に達成し得るようにするのが、その目的である。
【０００９】
【課題を解決するための手段】
本発明は、上記の目的を達成するため請求項１によるときは、発進立坑内の先導掘進機を、当該発進立坑内の元押し装置により押圧することで、上記先導掘進機の稼動により地山掘削による土砂を地上に排出すると共に、順次先導掘進機に推進管を継ぎ足して行くことで、当該先導掘進機を人孔の側壁内へ貫通させることにより、これらの推進管による管路を形成した後、この先導掘進機を地上に引き上げるようにした推進工法における先導掘進機の回収方法において、まず人孔にあって先導掘進機における切削回転体の最先側に取着したカッタースポーク外周端部を、カッタースポーク軸心側端部から取り外すと共に、その背後に配設の分割式フード兼隔壁を、上記カッタースポーク軸心側端部に連設の駆動部と分割式スキンプレートとから取り外し、これらのカッタースポーク外周端部と分割式フード兼隔壁と分割部品とを当該人孔より地上に回収し、予め背泥タンクと油圧ユニットと制御盤そしてエアタンク等である稼動用付帯部材は、同上管路内を介して発進立坑側から地上へ回収する工程と併行または事後にあって、前記したカッタースポーク軸心側端部とこれに連設された前記駆動部および前掲地山の掘削土砂を地上へ排出するための排泥管が具備された先導掘進機軸心部を、これに既設の運搬用走行転動体によって前記の分割式スキンプレート内から、推進管内を走路として前記の発進立坑より地上へ回収し、当該先導掘進機軸心部を先導掘進機からの抜出後にあって、前記した分割式スキンプレートと分割式接続リングと方向修正ジャッキとを、取外し作業により分解することで人孔または発進立坑から地上に回収するようにしたことを特徴とする推進工法における先導掘進機の回収方法を提供しようとしている。
【００１０】
請求項２にあっては、発進立坑内の先導掘進機を、当該発進立坑内の元押し装置により押圧することで、上記先導掘進機の稼動により地山を掘削した土砂を地上に排出すると共に、順次先導掘進機に推進管を継ぎ足して行くことで、当該先導掘削機を人孔の近傍に築造した小形到達立坑へ貫通させることにより、これらの推進管による管路を形成した後、この先導掘進機を地上に引き上げるようにした推進工法における先導掘進機の回収方法であって、まず小形到達立坑にて先導掘進機における切削回転体の最先側に取着したカッタースポーク外周端部を、カッタースポーク軸心側端部から取り外すと共に、その背後に配設の分割式フード兼隔壁を、上記カッタースポーク軸心側端部に連設の駆動部と分割式スキンプレートとから取り外し、これらのカッタースポーク外周端部と分割式フード兼隔壁と当該小形到達立坑より地上に回収し、予め背泥タンクと油圧ユニットと制御盤そしてエアタンク等である稼動用付帯部材は、同上管路内を介して発進立坑側から地上へ回収する工程と併行または事後にあって、前記したカッタースポーク軸心側端部とこれに連設された前記駆動部および前掲地山の掘削土砂を地上へ排出するための排泥管が具備された先導掘進機軸心部を、これに既設の運搬用走行転動体によって前記の分割式スキンプレート内から、推進管内を走路として前記の発進立坑より地上へ回収し、当該先導掘進機軸心部を先導掘進機からの抜出後にあって、前記した分割式スキンプレートと分割式接続リングと方向修正ジャッキとを、取外し作業により前記小形到達立坑または発進立坑から地上に回収するようにし、さらに当該小形到達立坑と前掲人孔とを刃口推進工事によって連繋するようにしたことを特徴とする推進工法における先導掘進機の回収方法を提供しようとしている。
【００１１】
請求項３は前同請求項１、２の実施に供し得る先導掘削機に係り、切削回転体が、最先側に取着されたカッタースポーク外周端部をカッタースポーク軸心側端部から取り外し自在なるよう取着されてなり、その背後に配設の分割式フード兼隔壁が、上記したカッタースポーク軸心側端部と連設の駆動部と分割式スキンプレートに対して取り外し自在なるよう取着され、上記したカッタースポーク軸心側端部とこれに連設された前記駆動部および前掲地山の掘削土砂を地上へ排出するための排泥管が具備された先導掘進機軸心部には、分割式スキンプレート内を軸線方向へ走行自在なるよう運搬用走行転動体が装設されていることを、その内容としている。
【００１２】
【発明の実施の形態】
本願の請求項１に係る回収方法について図１を参照して以下詳記すると、図３により前説した改善策に比し、以下の内容に関しては実質的に同一である。
すなわち図示されていない発進立坑内における先導掘進機１０を、同じく発進立坑内の元押装置によって押圧すると共に、先導掘進機１０の回転稼動により地山Ｅを掘削しながら、これにより生じた土砂を地上へ排出し、この際既知の通り順次先導掘進機１０にヒューム管等による推進管２を継ぎ足して行くことで、この先導掘進機１０を人孔３における人孔３の側壁３ａ内へ貫通させ、これにより、これらの連設された推進管２によって管路５を形成した後、この先導掘進機１０を地上まで引き上げるようにした推進工法における先導掘進機１０の回収方法に係るものである。
【００１３】
さて本発明では上記した人孔３にあって、まず侵入状態にある切削回転体１１の最先側に取着されている斑点を施した図示例では四個のカッタースポーク外周側端部１１ａを、白地にて図示したカッタースポーク軸心側端部１１ｂにおける正面十字状四個のカッター基部１１ｃから、図１（Ａ）に示されている固定螺杆１１ｄを弛回するといった手段により取り外すと共に、その背後に配設されている分割式フード兼隔壁１２を、上記したカッタースポーク軸心側端部１１ｂに連設されている駆動部１１ｅと、分割式スキンプレート１３とから、夫々の止螺子１２ａ、１２ｂを弛回するといった手段により取り外すのである。ここで図１の１１ｆ、１１ｇは駆動部１１ｅにおける夫々カッターモータとギャーボックスを示している。
【００１４】
かくして取り外されたカッタースポーク外周側端部１１ａと分割式フード兼隔壁１２の分割部品とは、人孔３から地上に回収するのであるが、図示例にあって分割部品とは、図１（Ｂ）によって理解される通り、分割式フード兼隔壁１２における突き合わされた一対のフード１２ｃ、１２ｃについて、これを締着している止螺子１２ｄを弛めることにより、リング状に固設されていた分割式フード兼隔壁１２を四分割にしたフード兼隔壁分割体１２ｅを示している。
【００１５】
一方既知の如く先導掘進機１０を稼動させるために用いられる稼動用付帯部材１４が、管路５における先頭側の推進管２にあって配設されているが、当該稼動用付帯部材１４なるものは、排泥タンク１４ａ、制御盤１４ｂ、エアタンク１４ｃ、油圧ユニット１４ｄ、その他であるグリーンポンプ１４ｅチャージポンプ１４ｆ等の部材を総称し、これらは、予め管路５内を介して前記した発進立坑側から地上へ回収することになるが、当該工程と併行させるか事後にあって、以下に示す通り先導掘進機１０の主要部について、これを同上管路５から大形に形成されている同上発進立坑を介して地上へと回収してしまうのである。
【００１６】
すなわち、前記したカッタースポーク軸心側端部１１ｂと、これに連設された前記の駆動部１１ｅおよび前掲地山の掘削土砂を地上へ排出するための既知である排泥管１５とが具備されている先導掘削機軸心部１６を、これに予め設けておいた車輪とかキャタピラ等による運搬用走行転動体１７によって、前説の分割式スキンプレート１３内から、管路５の推進管２を図１（ｃ）に開示の如く走路として、前記の発進立坑まで移送した後、さらにこれをクレーンその他の機器を用いることで、地上まで回収するのである。
もちろん、この際先導掘進機軸心部１６の管路２内における走行手段としては、ウインチ稼動による牽引走行としたり、運搬用走行転動体１７を適宜の原動機によって駆動させるなどして自走式とすることも可能である。
なお、ここで図１にあって既知の如く１１ｈは掘削した土砂用のチャンバー１１ｉはチャンバーゲート、１１ｊは排泥口、１１ｋは切削回転体１１に泥水を流入する送泥管口を示し、図示例では既知の如く掘削土砂と泥水ＭＷがチャンバーゲート１１ｉ内で撹拌された泥土は、前記した排泥管１５の排泥口１１ｊが、図示されていないゲートジャッキによるチャンバーゲート１１ｉの回動により開口されたときに、排泥管１５内に流入して行くこととなる。
【００１７】
上記の如き工程によって、先導掘削機軸心部１６が先導掘進機１０から抜き出されることになるが、その後にあって前記の分割式スキンプレート１３と分割式接続リング１３Ａおよび方向修正ジャッキ１３Ｂとを、取外し作業により分解することで、人孔３または、要すれば前記の発進立坑から地上へ回収することにより、全回収工程を終わる。
ここで、上記した分割式スキンプレート１３は図１に例示の場合、２個のリングスキンプレート１３ａ、１３ｂを、連結用具１３ｈにより長手方向に連接すると共に、夫々のリングスキンプレート１３ａ、１３ｂは図１（ｃ）によって理解される如く、その径方向にあって５個の分割弧状スキンプレート１３ｃ、１３ｄ、１３ｆ、１３ｇに分割自在となるように、連結用具１３ｉによってリング状に連接固定するようにしてある。
従って合計１０個の分割弧状スキンプレートに分割されることで、前記の如く人孔３とか、要すれば発進立坑から、これらを地上へ回収することができ、これと同期して前説の如く分解した方向修正ジャッキ１３Ｂとか、先頭側の推進管２と変向自在に連装される前掲分割式接続リング１３Ａの回収をも行うことになる。
【００１８】
次に請求項２に係る回収方法につき以下同じく図１を参照して説示すると、その基本的な工程に係る構成は上記した請求項１の回収方法と同じであるので、両者の相違点について以下明示する。
すなわち請求項１にあっては先導掘進機１０を既設である人孔３に掘進して管路５を形成するが、請求項２では当該人孔３の近傍に築造した図示されていない小形到達立坑へ貫通させるのであり、従って前記旧来例として図２により説示した大形到達立坑４に代わりに小形到達立坑を用意することになる。
ここで当該小形到達立坑は、もちろん先導掘進機１０の総体を一度に収納して地上へ回収するような大形到達立坑４ではなく、人孔３ないしは、これよりも少し大きい程度のものを築造すればよいのである。換言すれば人孔３より少し大きめの小形到達立坑を築造するのが望ましく、このことによりその築造費とそのための工事日数を削減し得るようにし、かつ先導掘進機１０の請求項１につき前記した分割作業とか、当該小形到達立坑からの各種の分割部品を地上へ回収する作業につき、これを能率的に行い易くしようとしている。
【００１９】
すなわち請求項１で説示した如く、この小形到達立坑にあってカッタースポーク外周側端部１１ａをカッタースポーク軸心側端部１１ｂから取り外したり、分割式フード兼隔壁１２を、駆動部１１ｅと分割式スキンプレート１３から取り外して地上へ回収することになる。
そして前説の如く稼動用付帯部材１４の回収とか、先導掘削機軸心部１６を運搬用走行転動体１７により、分割式スキンプレート１３内から推進管２を介して発進立坑から回収したりするのは、請求項１と同じである。
さらに請求項２では、これまた前説の分割式スキンプレート１３、分割式接続リング１３Ａそして方向修正ジャッキ１３Ｂを取外し分解作業を経て、小形到達立坑または発進立坑から地上へ回収するのであり、さらにこの小形到達立坑と人孔３とは刃口推進工事により連繋するのである。
【００２０】
さらに請求項３に係る先導掘進機１０につき説示すると、既設した請求項１と請求項２の記載内容によっても理解される通り、先頭に装設されている切削回転体１１は、最先端に取着されたカッタースポーク外周側端部１１ａをカッタースポーク軸心側端部１１ｂから、固定螺杆１１ｄなどによって取り外し自在なるよう取着されている。
そして上記した切削回転体１１の背後に配設されている分割式フード兼隔壁１２が、上記のカッタースポーク軸心側端部１１ｂと連設されている駆動部１１ｅそして分割式スキンプレート１３とに対して、止螺子１２ａ、１２ｂ等によって取り外し自在なるよう取着されている。
【００２１】
しかも請求項３では、上記したカッタースポーク軸心側端部１１ｂと、駆動部１１ｅと、排泥管１５とが一体に形成されてなる先導掘削機軸心部１６が構成されているだけでなく、当該先導掘削機軸心部１６には車輪とかキャタピラ等による運搬用走行転動体１７が装備されており、これにより当該先導掘削機軸心部１６が、分割式スキンプレート１３内を軸線方向へ走行自在なるよう構成されている。
この際上記した運搬用走行転動体１７は前説の如く、別個に用意された原動機により回転駆動させるようにしたり、駆動部１１ｅなどに付設した内蔵原動機の稼動により回転駆動する自走式のものであっても、また原動機をもたない単なる車輪を採択してもよく、このような場合には、先導掘削機軸心部１６を牽引索条により引き出す等、各種の手段を選定して走行させることができ、かかる先導推進機１０を用いることによって請求項１、請求項２に係る回収方法を効率的に実施することが可能となる。
【００２２】
【発明の効果】
本発明は以上のようにして構成し得るものであるから、請求項１によるときは、旧来法のように大形到達立坑を人孔近傍に築造して、そのための多額な工事費と工事日数を費やすことなく、しかも当該工事に際しての環境配慮問題も、さらに人孔に到達した先導掘進機を分断した上で、これを人孔から回収するのではなく、カッタースポーク外周側端部と分割式フード兼隔壁を解体することで得られた分割部品を、人孔から地上に回収することから、先導掘進機の全損を回避して、再度の組立作業によるリサイクルを実現することが可能となり、大形到達立坑の築造を要しないことに伴い刃口推進工事を省略することができる。
さらに請求項１の回収方法によるときは、各種部品の集合体である大形な先導掘進機軸心部にあって予め設けられている運搬用走行転動体により、管路内を介して発進立坑へ簡易迅速に移送でき、当該先導掘進機軸心部を、そのまま大きな発進立坑よりウインチその他の手段により、これまた簡易にして短時間内に地上へ回収することが出来極めて効率的な回収方法を提供し得ることになる。
【００２３】
次に請求項２にあっては、上記請求項１の主要回収方法をそのまま実施することにより、前掲効果を発揮し得るだけでなく、人孔の近傍に小形到達立坑を築造するものの、その容量は旧来の回収方法による大形到達立坑に比し、極めて小さくてすむことから、工事費とか工事日数の点で顕著な改善を期待することができ、また小形到達立坑の大きさを人孔よりも適度に大きくすることで、各種の分割部材を回収する作業が実施し易くなり、刃口推進工事を行うことになるが全体として旧来の回収方法を大幅に改善することができる。
【００２４】
請求項３は上記１と請求項２に係る回収方法の実施に供し得る先導掘進機に関し、前記の如く切削回転体のカッタースポーク軸心側端部から、カッタースポーク外周側端部を取外し、また分割式フード兼隔壁は駆動部と分割式スキンプレートから取り外すことになるので、当該作業は人孔、小形到達立坑内にあっても行い易く、また大きな先導掘進機軸心部には運搬用走行転動体が設けられているので、これを用いることで大重量である先導掘進機軸心部を発進立坑まで移送する作業が、簡易迅速にそれほど労することなく実施でき、請求項１と請求項２に係る回収方法の実施に際し、その信頼性を確保することが可能となる。
【図面の簡単な説明】
【図１】（Ａ）本願発明に係る推進工法における先導掘進機の回収方法の実施に用い得る先導掘進機の先頭箇所を示した縦断側面説明図で、（Ｂ）は（Ａ）の左側面図、（Ｃ）は（Ａ）のＣ−Ｃ線縦断矢視側面図である。
【図２】推進工法における先導掘進機の旧来より実施されていた回収方法を示す縦断側面説明図である。
【図３】（Ａ）は推進工法における先導掘進機の改善策として実施されている回収方法を示し、（Ａ）は先導掘進機が人孔に貫通した状態を示す縦断側面説明図で、（Ｂ）はその後にあって先導掘進機を分断して得た部材を当該人孔より地上へ回収している途上状態を示した縦断側面説明図である。
【符号の説明】
２　　推進管
３　　人孔
３ａ　人孔の側壁
５　　管路
６　　刃口推進工事
１０　　先導掘進機
１１　　切削回転体
１１ａ　カッタースポーク外周側端部
１１ｂ　カッタースポーク軸心側端部
１１ｅ　駆動部
１２　　分割式フード兼隔壁
１３　　分割式スキンプレート
１３Ａ　分割式接続リング
１３Ｂ　方向修正ジャッキ
１４　　稼動用付帯部材
１４ａ　排泥タンク
１４ｂ　油圧ユニット
１４ｃ　制御盤
１４ｄ　エアタンク
１５　　排泥管
１６　　先導掘進機軸心部
１７　　運搬用走行転動体
Ｅ　　地山
Ｅ１　地上
【図１】
2004011190.tif 000003
【図２】
2004011190.tif 000004
【図３】
2004011190.tif 000005